【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
入力データ・パタンによって変調された高速光出力信号を生成する配置であって、
前記変調された光出力信号を生成する、光入力信号および変調電気入力信号に応答する電気光学変調器と、
前記入力データ・パタンの第１のデータ値と第２のデータ値との間の各遷移において前記変調電気入力信号に、前記電気光学変調器の帯域幅をその光損失を増大させることなく拡大させるように自由キャリヤ変調を加速する所定の大きさおよび所定の持続時間のプリエンファシス・パルスを挿入する、前記電気光学変調器への電気入力に配設された等化回路／プリエンファシス・モジュールとを備えた配置。
【請求項２】
前記電気光学変調器からの出力は線形のアナログ信号である請求項１に記載の配置。
【請求項３】
前記電気光学変調器からの出力は線形のデジタル信号である請求項１に記載の配置。
【請求項４】
前記等化回路／プリエンファシス・モジュールは、前記第１の値と第２の値との間の遷移によって制御される、前記プリエンファシス・パルス信号を前記電気変調信号の内および外にスイッチングする複数のスイッチを備える請求項１に記載の配置。
【請求項５】
前記プリエンファシス・パルスの大きさ及び／又は持続時間は所望の拡大された変調器の帯域幅を提供するように選択される請求項１に記載の配置。
【請求項６】
前記電気入力信号は低電圧信号であり、前記電気光学変調器の範囲に沿った複数の別々のコンタクト場所に印加されて変調器スイッチング速度を向上させる請求項１に記載の配置。
【請求項７】
前記別々のコンタクト場所の数は、少なくとも部分的には、前記変調された光出力信号に導入される所定量のチャープによって決定される請求項６に記載の配置。
【請求項８】
前記等化回路／プリエンファシス・モジュールは、前記第２のデータ値と第１のデータ値との間の各遷移において前記変調電気入力信号に所定の大きさおよび所定の持続時間の第２のプリエンファシス・パルスを挿入するように機能し、前記第２のプリエンファシス・パルスは前記第１のプリエンファシス・パルスとは反対の極性を有し、前記第２の導入されたプリエンファシス・パルスは、その光損失を増大させることなく前記電気光学変調器の帯域幅をさらに拡大させるように自由キャリヤ変調を加速する請求項１に記載の配置。
【請求項９】
前記第２のプリエンファシス・パルスの大きさ及び／又は持続時間は所望の拡大された帯域幅を提供するように選択される請求項８に記載の配置。
【請求項１０】
前記変調された光出力信号を測定し、かつ前記第１のプリエンファシス・パルスの持続時間、前記第２のプリエンファシス・パルスの持続時間、前記第１のプリエンファシス・パルスの大きさ、および前記第２のプリエンファシス・パルスの大きさから成るセットから、少なくとも１つの動作パラメータの最適な値を決定する、前記変調された光出力信号の一部に応答する制御モジュールをさらに備える請求項８に記載の配置。
【請求項１１】
前記制御モジュールは前記決定された最適な値を前記等化回路／プリエンファシス配置に供給して、前記挿入された第１および第２のプリエンファシス・パルスの動作特性を製造工程終了時に設定する請求項１０に記載の配置。
【請求項１２】
前記制御モジュールは、前記変調された光出力信号の一部を連続的に測定し、かつ動作条件の変化に関連して前記第１および第２のプリエンファシス・パルスの大きさおよび持続時間を更新するフィードバック要素を含む請求項１０に記載の配置。
【請求項１３】
前記電気光学変調器は、キャリヤ密度の変化を利用して前記変調された光出力信号を生成する自由キャリヤベースの変調器を備え、前記自由キャリヤベースの変調器は、第１の導電型の自由キャリヤ・ドーパントを有する第１の要素および第２の反対の導電型の自由キャリヤ・ドーパントを有する第２の要素を含み、前記第１および第２の要素は導波路を形成するように、かつ前記電気光学変調器入力からの前記電気光学変調器出力への光信号の伝搬を支援するように配置されており、前記変調電気入力信号を前記電気光学変調器に印加することによって、前記第１および第２の要素の自由キャリヤ密度を変調するように、かつ前記導波路の屈折率の変調を導入するように自由キャリヤの移動を生成して前記変調された光出力信号を生成し、前記挿入されたプリエンファシス・パルスは前記第１のデータ値と前記第２のデータ値との間の遷移において前記自由キャリヤの移動を加速させる請求項１に記載の配置。
【請求項１４】
前記プリエンファシス・パルスの大きさ及び／又は持続時間は、比較的低いドーパント濃度を可能にして所定の変調器スイッチング速度に対して光損失を最小化するように選択される請求項１３に記載の配置。
【請求項１５】
前記電気光学変調器は、前記プリエンファシス・パルスに関連する自由キャリヤ密度の変化が所定の位相変化を前記変調器を伝搬する光信号に導入する位相変調器である請求項１３に記載の配置。
【請求項１６】
前記光入力信号を第１のアームおよび第２のアームに分割するように前記変調器入力に配設された光学スプリッタと、
第１の導電型の第１の領域および第２の導電型の第２の領域を有する、前記第１のアームに沿って配設された第１の変調要素と、
前記第１の導電型の第１の領域および第２の導電型の第２の領域を有する、前記第２のアームに沿って配設された第２の変調要素と、
前記第１および第２のアームからの変調された光出力信号を結合するように前記変調器出力に配設された光結合器とを備え、前記変調電気入力信号は前記第１および第２の変調要素の少なくとも１つに印加されて前記変調された光出力信号を生成する請求項１に記載の配置。
【請求項１７】
前記干渉計は、前記光学スプリッタが実質的に等しい量の光入力信号を前記第１のアームおよび前記第２のアームに提供するように釣り合わされる請求項１６に記載の配置。
【請求項１８】
前記干渉計が釣り合わされず、前記光学スプリッタは等しくない光入力信号を前記第１および第２のアームに提供する請求項１６に記載の配置。
【請求項１９】
前記釣り合っていない分割は固定されている請求項１８に記載の配置。
【請求項２０】
前記釣り合っていない分割は調整可能である請求項１８に記載の配置。
【請求項２１】
前記光学スプリッタの分割比は所望の分割比を得るように製造中に調整可能である請求項２０に記載の配置。
【請求項２２】
前記光学スプリッタの分割比は動的であり、かつ連続的に調整可能である請求項２０に記載の配置。
【請求項２３】
前記入力データ・パタンに関連し、前記変調電気入力信号は、前記第１の変調要素については論理「０」の値を表す第１の基準電圧（ＲＥＦ０Ａ）を、前記第２の変調要素については論理「０」の値を表す第２の基準電圧（ＲＥＦ０Ｄ）を、前記第１の変調要素については論理「１」の値を表す第３の基準電圧（ＲＥＦ１Ａ）を、前記第２の変調要素については論理「１」の値を表す第４の基準電圧（ＲＥＦ１Ｄ）を含み、非変調電位電圧（ＲＥＦ）が各変調要素のある領域に印加される請求項１６に記載の配置。
【請求項２４】
前記電気光学変調器は、
第１の導電型でドープした第１の半導体素子と、
第２の導電型でドープした第２の半導体素子とを備え、比較的薄い誘電体層が間に配設されており、前記変調電気入力信号を印加することによって、前記第１および第２の素子に、前記光学的「０」状態については前記光入力信号を部分的に吸収させ、かつ前記光学的「１」状態については基本的に非吸収として、前記変調された光出力信号を生成し、前記プリエンファシス・パルスがこのようにして前記吸収状態と前記非吸収状態との間の変化を加速させる電界吸収型変調器である請求項８に記載の配置。
【請求項２５】
前記プリエンファシス・パルスの大きさは、比較的低いドーパント濃度を可能にして所定の変調器スイッチング速度に対して光損失を最小化するように選択される請求項２４に記載の配置。
【請求項２６】
前記配置は、
前記変調された光出力信号を測定し、かつ前記第１のプリエンファシス・パルスの持続時間、前記第２のプリエンファシス・パルスの持続時間、前記第１のプリエンファシス・パルスの大きさ、および前記第２のプリエンファシス・パルスの大きさから成るセットから、少なくとも１つの動作パラメータに最適な値を決定する、前記変調された光出力信号の一部に応答する制御モジュールをさらに備える請求項２４に記載の配置。
【請求項２７】
前記制御モジュールは、前記決定された最適な値を前記等化回路／プリエンファシス配置に供給して、前記挿入された第１および第２のプリエンファシス・パルスの動作特性を前記吸収変調器の製造工程終了時に設定する請求項２６に記載の配置。
【請求項２８】
前記等化回路／プリエンファシス・モジュールの出力インピーダンスは、前記電気光学変調器のスイッチング速度に及ぼす影響が最小になるように理想的な電圧に接近する請求項１に記載の配置。